(57)【要約】【課題】  保管性及び携帯性、更には使い勝手及び利便性に優れ、かつ安価な製造及び大量確保を容易にし、災害発生時等における新生児の迅速かつ安全な搬送を可能にする。【解決手段】  新生児Ｈを包んだ状態で搬送者Ｃが携帯して搬送可能な新生児搬送具１であって、柔軟なシート部材２ｘを菱形状に形成した搬送具本体部２と、この搬送具本体部２の右端隅部２ｐｓと左端隅部２ｑｓ間に設けることにより連結又は切離可能な肩掛用バンド部３と、少なくとも所定の剛性を有するプレート部材４ｘにより形成するとともに、搬送具本体部２の内部又は底部に配し、かつ当該搬送具本体部２に対して積層状に重なり、少なくとも新生児Ｈの尻部Ｈｂから頭部Ｈｈの少なくとも一部を支持可能な基体部４とを備える。【選択図】  図１
2014136121.tif 000002
【特許請求の範囲】
【請求項１】
新生児を包んだ状態で搬送者が携帯して搬送可能な新生児搬送具であって、柔軟なシート部材を菱形状に形成した搬送具本体部と、この搬送具本体部の右端隅部と左端隅部間に設けることにより連結又は切離可能な肩掛用バンド部と、少なくとも所定の剛性を有するプレート部材により形成するとともに、前記搬送具本体部の内部又は底部に配し、かつ当該搬送具本体部に対して積層状に重なり、少なくとも新生児の尻部から頭部の少なくとも一部を支持可能な基体部とを備えてなることを特徴とする新生児搬送具。
【請求項２】
前記シート部材は、一種又は二種以上の、天然及び／又は合成の繊維素材により形成することを特徴とする請求項１記載の新生児搬送具。
【請求項３】
前記搬送具本体部は、右部（又は左部）の一部を利用することにより、左方（又は右方）に開口する開口部を有し、かつ三角ポケット状に形成して、新生児の頭部を保護する頭巾部を設けてなることを特徴とする請求項１又は２記載の新生児搬送具。
【請求項４】
前記搬送具本体部は、前記肩掛用バンド部に対して直角方向に取付け、かつ当該搬送具本体部により新生児を包んだ際に、包んだ状態に保持する保持用バンド部を備えることを特徴とする請求項１，２又は３記載の新生児搬送具。
【請求項５】
前記肩掛用バンド部は、搬送者の肩に当接可能なパッド部を有することを特徴とする請求項１〜４のいずれかに記載の新生児搬送具。
【請求項６】
前記プレート部材は、一種又は二種以上の樹脂素材により形成することを特徴とする請求項１〜５のいずれかに記載の新生児搬送具。
【発明の詳細な説明】
【技術分野】
【０００１】
本発明は、災害発生時等において新生児を搬送する際に用いて好適な新生児搬送具に関する。
【背景技術】
【０００２】
従来、病人や乳幼児等は、地震や火災等の災害発生時に自力で避難できないため、病人や乳幼児等を、如何に安全に搬送するかは社会的にも重要な課題となっている。このため、このような課題に対処した用具も提案されており、特許文献１には、人を運搬または載置するための用具が開示されている。
【０００３】
この用具は、地震等の天災の発生時、火災や急病などの緊急時、寝たきりの老人や病人などの入浴介助時などに、人命救助、介助などの目的で、怪我人、病人、老人、未だ歩けなかったり、よちよち歩きの乳幼児等を速やかに且つ円滑に運搬又は載置することを目的としたものであり、具体的には、メッシュの目合が５ｍｍ以上であるメッシュ状布帛を用いることにより、人を運搬又は載置するための用具として製作、即ち、担架、乳幼児の運搬具、簡易ベッド、入浴介助用ベッド等に製作したものである。
【先行技術文献】
【特許文献】
【０００４】
【特許文献１】特開２００１−２５８９４０号公報
【発明の概要】
【発明が解決しようとする課題】
【０００５】
しかし、上述した従来の用具、即ち、人を運搬または載置するための用具は、次のような問題点があった。
【０００６】
第一に、用具としては、担架或いはその類似具の域を出ていないため、担架の有する短所をそのまま保有する。具体的には、大型化する傾向があり保管性や携帯性に難がある。搬送時には二人必要となり一人では扱えない。高価になる傾向があるため数量を確保するにも限界がある。狭い通路等では使えないため使い勝手や利便性に劣る。などの短所をそのまま保有し、通常の使用ではさほど問題にならないとしても、災害発生時のように、緊急性が要求される場合や十分な搬送路が確保されていない状況等においては致命的ともいえる無視できない短所となる。
【０００７】
第二に、怪我人、病人、老人等のある程度の身長及び体重のある場合には、メッシュ状布帛が沈み込むため、安定に搬送することができるが、体重が軽く、かつ首の座っていない新生児の場合には、安定かつ安全に搬送できるかは疑問となる。このように、従来の用具は、新生児に対する十分な適合性を考慮しているとは言えない。結局、災害発生時等において、新生児を安全に搬送するための望ましい搬送具は何ら実用化されていないのが実情である。
【０００８】
本発明は、このような背景技術に存在する課題を解決した新生児搬送具の提供を目的とするものである。
【課題を解決するための手段】
【０００９】
本発明は、上述した課題を解決するため、新生児Ｈを包んだ状態で搬送者Ｃが携帯して搬送可能な新生児搬送具１であって、柔軟なシート部材２ｘを菱形状に形成した搬送具本体部２と、この搬送具本体部２の右端隅部２ｐｓと左端隅部２ｑｓ間に設けることにより連結又は切離可能な肩掛用バンド部３と、少なくとも所定の剛性を有するプレート部材４ｘにより形成するとともに、搬送具本体部２の内部又は底部に配し、かつ当該搬送具本体部２に対して積層状に重なり、少なくとも新生児Ｈの尻部Ｈｂから頭部Ｈｈの少なくとも一部を支持可能な基体部４とを備えてなることを特徴とする。
【００１０】
この場合、発明の好適な態様により、シート部材２ｘは、一種又は二種以上の、天然及び／又は合成の繊維素材２ｘｍにより形成することができる。一方、搬送具本体部２には、右部２ｐ（又は左部２ｑ）の一部を利用することにより左方（又は右方）に開口する開口部１１ｉを有し、かつ三角ポケット状に形成して、新生児Ｈの頭部Ｈｈを保護する頭巾部１１を設けることができる。また、搬送具本体部２には、肩掛用バンド部３に対して直角方向に取付け、かつ当該搬送具本体部２により新生児Ｈを包んだ際に、包んだ状態に保持する保持用バンド部１３を設けることができる。他方、肩掛用バンド部３には、搬送者Ｃの肩部Ｃｓに当接可能なパッド部１４を設けることができる。さらに、プレート部材４ｘは、一種又は二種以上の樹脂素材４ｘｍにより形成することができる。
【発明の効果】
【００１１】
このような構成を有する本発明に係る新生児搬送具１によれば、次のような顕著な効果を奏する。
【００１２】
（１）  基本的な構成として、新生児Ｈを包んだ状態で搬送者Ｃが携帯して搬送可能に構成するため、従来の用具（担架）の有する様々な短所を解消できる。即ち、第一に、全体を折畳むことにより小型コンパクト化が可能なため保管性及び携帯性に優れる。第二に、一人で搬送する（扱う）ことができる。第三に、安価に製造できるため、大量確保が容易であり、災害発生時に不足するなどの不具合を排除できる。第四に、狭い搬送路等であっても使用可能であり、使い勝手及び利便性に優れる。
【００１３】
（２）  柔軟なシート部材２ｘを菱形状に形成した搬送具本体部２と、この搬送具本体部２の右端隅部２ｐｓと左端隅部２ｑｓ間に設けることにより連結又は切離可能な肩掛用バンド部３と、少なくとも所定の剛性を有するプレート部材４ｘにより形成するとともに、搬送具本体部２の内部又は底部に配し、かつ当該搬送具本体部２に対して積層状に重なり、少なくとも新生児Ｈの頭部Ｈｈから尻部Ｈｂを支持可能な基体部４とを備えるため、災害発生時等に、小さい体で首の座っていない新生児Ｈの搬送を迅速かつ安全に行うことができるなど、特に、新生児Ｈの搬送に用いて最適となる。
【００１４】
（３）  好適な態様により、シート部材２ｘを、一種又は二種以上の、天然及び／又は合成の繊維素材２ｘｍにより形成すれば、菱形状となる搬送具本体部２の上部，下部及び左部２ｑ（又は右部２ｐ）の一部である各三角状部により新生児Ｈを包むことができるため、衣類としての防寒機能及び保護機能等を有効に付加することができる。
【００１５】
（４）  好適な態様により、搬送具本体部２に、右部２ｐ（又は左部２ｑ）の一部を利用することにより左方（又は右方）に開口する開口部１１ｉを有し、かつ三角ポケット状に形成して、新生児Ｈの頭部Ｈｈを保護する頭巾部１１を設ければ、菱形状となる搬送具本体部２の右部２ｐ（又は左部２ｑ）における三角部の一部を利用できるため、一枚の三角布部を付加するのみで、頭巾部１１を容易に設けることができる。
【００１６】
（５）  好適な態様により、搬送具本体部２に、肩掛用バンド部３に対して直角方向に取付け、かつ当該搬送具本体部２により新生児Ｈを包んだ際に、包んだ状態に保持する保持用バンド部１３を設ければ、搬送具本体部２により新生児Ｈを包んだ状態を確実に保持することができるため、より安定した搬送を行うことができる。
【００１７】
（６）  好適な態様により、肩掛用バンド部３に、搬送者Ｃの肩部Ｃｓに当接可能なパッド部１４を設ければ、搬送者Ｃの肩部Ｃｓに対する荷重の集中的付加を回避し、搬送者Ｃの肩部Ｃｓに対する荷重の負担を軽減できるため、搬送者Ｃに対する不快感を低減し、より長時間となる搬送も可能にすることができる。
【００１８】
（７）  好適な態様により、プレート部材４ｘを、一種又は二種以上の樹脂素材４ｘｍにより形成すれば、新生児搬送具１の全体の軽量化，必要な剛性化，可及的な低コスト化を実現する観点から最も望ましい形態により実施できるとともに、適度な剛性及び弾性を容易に得ることができる。
【図面の簡単な説明】
【００１９】
【図１】本発明の好適実施形態に係る新生児搬送具の外観斜視図、
【図２】同新生児搬送具の平面図、
【図３】同新生児搬送具の一部抽出拡大段面図を含む正面図、
【図４】同新生児搬送具の底面図、
【図５】同新生児搬送具の左側面図、
【図６】同新生児搬送具の使用方法を順を追って説明するための第一の説明図、
【図７】同新生児搬送具の使用方法を順を追って説明するための第二の説明図、
【図８】同新生児搬送具の使用方法を順を追って説明するための第三の説明図、
【図９】同新生児搬送具の使用方法を順を追って説明するための第四の説明図、
【発明を実施するための形態】
【００２０】
次に、本発明に係る好適実施形態を挙げ、図面に基づき詳細に説明する。
【００２１】
まず、本実施形態に係る新生児搬送具１の構成について、図１〜図５を参照して具体的に説明する。
【００２２】
本実施形態に係る新生児搬送具１は、大別して、搬送具本体部２，肩掛用バンド部３及び基体部４を備えて構成する。
【００２３】
搬送具本体部２は、一種又は二種以上の、天然及び／又は合成の繊維素材２ｘｍにより形成する柔軟なシート部材２ｘを使用し、このシート部材２ｘを、図２に示すように菱形状に形成したものを用いる。例示のシート部材２ｘは、一対のシート材により綿を挟んで形成したキルティング材を用いた。この場合、シート材には弱撥水加工したナイロン素材を用いることが望ましい。これにより、搬送具本体部２は防水性が確保され、搬送具本体部２の上でオムツ交換等も可能となる。なお、例示のシート部材２ｘは二種類の繊維素材を使用したが、一種類であってもよいし三種以上であってもよく、また、天然繊維素材であるか合成繊維素材であるかは問わない。このように、シート部材２ｘを、一種又は二種以上の、天然及び／又は合成の繊維素材２ｘｍにより形成すれば、菱形状となる搬送具本体部２の上部，下部及び左部２ｑ（又は右部２ｐ）の一部である各三角状部により新生児Ｈを包むことができるため、衣類としての防寒機能及び保護機能等を有効に付加できる利点がある。
【００２４】
さらに、図２に示すように、搬送具本体部２の上面部２Ｆにおける上下方向一端側には面ファスナを構成する装着部２１ｓを設けるとともに、搬送具本体部２の底面部２Ｒ（図４参照）の中央付近であって上下方向他端寄りには当該装着部２１ｓに対して着脱する被装着部２１ｒを設ける。なお、本明細書では、新生児搬送具１の位置関係において、便宜上、図２の状態を基本とした。したがって、後述する頭巾部１１を設ける隅部（角部）が搬送具本体部２の右端として説明する。
【００２５】
また、搬送具本体部２には、図１及び図２に示すように、右部２ｐの一部を利用することにより左方に開口する開口部１１ｉを有し、かつ三角ポケット状に形成して、新生児Ｈの頭部Ｈｈを保護する頭巾部１１を設ける。搬送具本体部２に、このような頭巾部１１を設ければ、菱形状となる搬送具本体部２の右部２ｐにおける三角部の一部をそのまま利用できるため、一枚の三角布部１１ｐを付加するのみで、頭巾部１１を容易に設けることができる。なお、この三角布部１１ｐには、シート部材２ｘと同様の材料を用いることができる。
【００２６】
一方、図４に示すように、搬送具本体部２の底面部２Ｒには肩掛用バンド部３に対して直角方向、即ち、搬送具本体部２の上下方向に、当該搬送具本体部２により新生児Ｈを包んだ際に、包んだ状態に保持する保持用バンド部１３を設ける。この場合、保持用バンド部１３を搬送具本体部２に配する左右方向位置は、新生児Ｈの尻部Ｈｂ付近を選定し、保持用バンド部１３の中央付近を搬送具本体部２の底面部２Ｒに縫い付ければよい。なお、保持用バンド部１３の一端側の上面には面ファスナを構成する装着部２２ｓを設けるとともに、保持用バンド部１３の他端側の下面には当該装着部２２ｓに対して着脱する被装着部２２ｒを設ける。このような保持用バンド部１３を設ければ、搬送具本体部２により新生児Ｈを包んだ状態を確実に保持できるため、より安定した搬送を行うことができる利点がある。
【００２７】
肩掛用バンド部３は、搬送具本体部２の右端隅部２ｐｓと左端隅部２ｑｓ間に設けることにより連結又は切離可能に構成する。例示の場合、図４に示すように、左右両端を開口した収容袋部２５を用意し、この収容袋部２５を、搬送具本体部２の底面部２Ｒにおける上下方向中央位置に縫い付ける。そして、この収容袋部２５の内部における上下端位置にそれぞれ補助バンド部２６ｕ，２６ｄを縫い付けることにより、各補助バンド部２６ｕ，２６ｄの左右両端を収容袋部２５の開口から外部に導出し、補助バンド部２６ｕ，２６ｄの右側における二つの右端部を主バンド部２７ｍの一端に縫い付けて結合するとともに、各補助バンド部２６ｕ，２６ｄの左側における二つの左端部を副バンド部２７ｓの一端に縫い付けて結合した。
【００２８】
また、副バンド部２７ｓの他端にはバックル２８を取付ける。これにより、このバックル２８と主バンド部２７ｍの他端を着脱することができる。なお、バックル２８は例示であり、着脱可能な各種着脱具を用いることができる。さらに、主バンド部２７ｍ（肩掛用バンド部３）の中途には、搬送者Ｃの肩部Ｃｓに当接可能なパッド部１４を配する。この場合、パッド部１４は、例えば、両端を開口した袋状に形成し、このパッド部１４の内部に主バンド部２７ｍを挿通させることにより実施できる。これにより、パッド部１４の、肩掛用バンド部３上の位置調整が可能になる。このようなパッド部１４を設ければ、搬送者Ｃの肩部Ｃｓに対する荷重の集中的付加を回避し、搬送者Ｃの肩部Ｃｓに対する荷重の負担を軽減できるため、搬送者Ｃに対する不快感を低減し、より長時間となる搬送も可能にできる利点がある。
【００２９】
基体部４は、一種又は二種以上の樹脂素材４ｘｍにより剛性を有する一枚のプレート部材４ｘにより形成する。この基体部４は、図３及び図４に示すように、上述した収容袋部２５の内部に収容することができる。この場合、補助バンド部２６ｕと２６ｄ間に基体部４を介在させる。これにより、基体部４は、搬送具本体部２に対して積層状に重なることになる。例示の場合、プレート部材４ｘの素材には、ポリエチレン系樹脂素材を用いた。なお、例示は一種の樹脂素材を用いて一体形成したが、二種以上の積層タイプであってもよいし、或いは混合タイプにより構成できる二種以上の樹脂素材を用いてもよい。このように、プレート部材４ｘを、一種又は二種以上の樹脂素材４ｘｍにより形成すれば、新生児搬送具１の全体の軽量化，必要な剛性化，可及的な低コスト化を実現する観点から最も望ましい形態により実施できるとともに、適度な剛性及び弾性を容易に得ることができる利点がある。
【００３０】
また、基体部４の形状は、図１及び図２に示すように、少なくとも新生児Ｈの尻部Ｈｂから頭部Ｈｈの少なくとも一部（図６参照）を支持可能に形成する。具体的には、略長方形状に形成し、新生児Ｈの尻部Ｈｂから頭部Ｈｈを支持可能にする。なお、図４に示すように、中間位置に縫付部Ｋｃを設けることにより、収容袋部２５の内部における基体部４の位置ズレを固定することができる。
【００３１】
次に、本実施形態に係る新生児搬送具１の使用方法について、図６〜図９を参照して説明する。
【００３２】
本実施形態に係る新生児搬送具１は、前述した基体部４をベースとして、その上に他の部位を折り畳むことができる。したがって、基体部４の形状を有し、かつ所定の厚さを有する収納ケース（袋）を用意し、この収納ケースに入れて保管することができる。
【００３３】
一方、新生児搬送具１を使用するに際しては、図６に示すように、まず、搬送具本体部２を菱形状に広げる。そして、新生児Ｈを搬送具本体部２の上面部２Ｆに寝かせ、頭部Ｈｈを頭巾部１１の開口部１１ｉから中に収容する。この後、図７に示すように、搬送具本体部２の左部２ｑ（左端部２ｑｓ）を持ち上げ、新生児Ｈの足部Ｈｔ（図６参照）の上に掛ける。次いで、搬送具本体部２の上部２ｄを持ち上げ、新生児Ｈの胴体部Ｈｍ（図６参照）の上に掛ける。図７は、ここまでの状態を示している。この後、同様に搬送具本体部２の下部２ｄを持ち上げ、新生児Ｈの胴体部Ｈｍ、即ち、既に掛けた上部２ｕの上に掛けるとともに、面ファスナを構成する装着部２１ｓを被装着部２１ｒに止着する。
【００３４】
次いで、図８に示すように、保持用バンド部１３を両端を持ち上げ、面ファスナを構成する装着部２２ｓを被装着部２２ｒに止着することにより、保持用バンド部１３を新生児Ｈの胴体部Ｈｍに巻付けた状態にする。この後、主バンド部２７ｍの先端側を副バンド部２７ｓのバックル２８に装着し、主バンド部２７ｍと副バンド部２７ｓを接続する。この際、バックル２８に対する主バンド部２７ｍの装着位置を任意に調整して必要な長さ調整を行う。これにより、搬送者Ｃの肩部Ｃｓに掛ける肩掛用バンド部３が構成される。この状態を図８に示している。以上により、新生児搬送具１に対する新生児Ｈの収容が終了するため、図９に示すように、搬送者Ｃの肩部Ｃｓに、肩掛用バンド部３を掛け、新生児Ｈを収容した搬送具本体部２を搬送者Ｃの前に位置させればよい。このように、新生児Ｈの収容は極めて容易に行うことができるとともに、搬送時に、搬送者Ｃは、両手が空くことになる。
【００３５】
よって、このような本実施形態に係る新生児搬送具１によれば、基本的な構成として、新生児Ｈを包んだ状態で搬送者Ｃが携帯して搬送可能に構成するため、従来の用具（担架）の有する様々な短所を解消できる。即ち、第一に、全体を折畳むことにより小型コンパクト化が可能なため保管性及び携帯性に優れる。第二に、一人で搬送する（扱う）ことができる。第三に、安価に製造できるため、大量確保が容易であり、災害発生時に不足するなどの不具合を排除できる。第四に、狭い搬送路等であっても使用可能であり、使い勝手及び利便性に優れる。また、柔軟なシート部材２ｘを菱形状に形成した搬送具本体部２と、この搬送具本体部２の右端隅部２ｐｓと左端隅部２ｑｓ間に設けることにより連結又は切離可能な肩掛用バンド部３と、少なくとも所定の剛性を有するプレート部材４ｘにより形成するとともに、搬送具本体部２の内部又は底部に配し、かつ当該搬送具本体部２に対して積層状に重なり、少なくとも新生児Ｈの頭部Ｈｈから尻部Ｈｂを支持可能な基体部４とを備えるため、災害発生時等に、小さい体で首の座っていない新生児Ｈの搬送を迅速かつ安全に行うことができるなど、特に、新生児Ｈの搬送に用いて最適となる。
【００３６】
以上、好適実施形態について詳細に説明したが、本発明は、このような実施形態に限定されるものではなく、細部の構成，形状，素材，数量等において、本発明の要旨を逸脱しない範囲で、任意に変更，追加，削除することができる。例えば、搬送具本体部２に頭巾部１１を設けが、この頭巾部１１は例示のように一体に設けてもよいし、ボタン等により着脱可能に設けてもよい。また、頭巾部１１は設けない場合を排除するものではない。さらに、保持用バンド部１３を設けた場合を示したが、例示のように、必要な個所に面ファスナを設けることにより、必ずしも保持用バンド部１３を設けることを要しない。
【産業上の利用可能性】
【００３７】
本発明に係る新生児搬送具は、病院，産院，家庭等において、地震や火災等の災害発生時に看護師や親等が新生児を搬送する際に利用できる。なお、新生児には乳幼児等も含む概念である。
【符号の説明】
【００３８】
１：新生児搬送具，２：搬送具本体部，２ｘ：シート部材，２ｐ：搬送具本体部の右部，２ｑ：搬送具本体部の左部，２Ｒ：搬送具本体部の底面部，２ｐｓ：搬送具本体部の右端隅部，２ｑｓ：搬送具本体部の左端隅部，２ｘｍ：天然及び／又は合成の繊維素材，３：肩掛用バンド部，４：基体部，４ｘ：プレート部材，４ｘｍ：樹脂素材，１１：頭巾部，１１ｉ：開口部，１３：保持用バンド部，１４：パッド部，Ｈ：新生児，Ｈｂ：新生児の尻部，Ｈｈ：新生児の頭部，Ｃ：搬送者，Ｃｓ：搬送者の肩
【図１】
2014136121.tif 000003
【図２】
2014136121.tif 000004
【図３】
2014136121.tif 000005
【図４】
2014136121.tif 000006
【図５】
2014136121.tif 000007
【図６】
2014136121.tif 000008
【図７】
2014136121.tif 000009
【図８】
2014136121.tif 000010
【図９】
2014136121.tif 000011